(57)【要約】【課題】電源装置が立ち上がらなくなるという事態が発生する前に、補助電源回路の平滑用コンデンサの劣化の予兆を捉えて電源装置の劣化を確実に検知できるようにする。【解決手段】トランスの補助巻線に誘起された電圧を整流・平滑して動作電源電圧を生成する補助電源回路を有する電源装置の劣化を検知する劣化検知装置において、電源装置の所定部位から取得された電圧が印加される端子を備えた端子台と、前記端子に印加された電圧が所定の電圧を越えた場合にパルス信号を生成するパルス生成手段と、パルス生成手段により生成されたパルス信号を計数可能なパルス計数手段と、計数手段により計数されたパルス数が所定数に達した場合に前記電源装置の劣化と判定する判定手段とを設けた。【選択図】図３
2018160989.tif 000002
【特許請求の範囲】
【請求項１】
電圧変換用のトランスと、該トランスの一次側巻線に間欠的に電流を流すためのスイッチング素子と、前記トランスの一次側巻線に流れる電流に比例した電圧と前記トランスの二次側からの出力電圧検出信号が入力されることで前記スイッチング素子をオン、オフ制御する駆動パルスを生成し出力する電源制御回路と、平滑用のコンデンサを備え前記トランスの補助巻線に誘起された電圧を整流・平滑して前記電源制御回路の動作電源電圧を生成する補助電源回路とを有する絶縁型の電源装置の劣化を検知する劣化検知装置であって、
前記電源装置の所定部位から取得された電圧が印加されるモニタ端子を備えた端子台と、
前記モニタ端子に印加された電圧が所定の電圧を越えた場合にパルス信号を生成するパルス生成手段と、
前記パルス生成手段により生成されたパルス信号を計数可能なパルス計数手段と、
前記計数手段により計数されたパルス数が所定数に達した場合に前記電源装置の劣化と判定する判定手段と、
を備えていることを特徴とする電源装置の劣化検知装置。
【請求項２】
前記補助電源回路は平滑用のコンデンサを備え、
前記モニタ端子に印加される電圧は、前記補助電源回路の平滑用のコンデンサの充電電圧であることを特徴とする請求項１に記載の電源装置の劣化検知装置。
【請求項３】
前記トランスの一次側巻線が接続される入力端子と前記平滑用のコンデンサとの間に接続され、電源起動時に前記平滑用のコンデンサを充電させる電流が流れる抵抗素子を備え、
前記モニタ端子に印加される電圧は、前記抵抗素子の両端子の電圧であることを特徴とする請求項２に記載の電源装置の劣化検知装置。
【請求項４】
前記パルス生成手段は、前記モニタ端子に印加される電圧を分圧する分圧手段と、該分圧手段により分圧された電圧に応じた電圧と所定の電圧とを比較する電圧比較回路と、前記分圧手段と前記電圧比較回路との間に設けられ直流成分を遮断する直流遮断手段と、を備えることを特徴とする請求項１〜３のいずれかに記載の電源装置の劣化検知装置。
【請求項５】
電圧変換用のトランスと、該トランスの一次側巻線に間欠的に電流を流すためのスイッチング素子と、前記トランスの一次側巻線に流れる電流に比例した電圧と前記トランスの二次側からの出力電圧検出信号が入力されることで前記スイッチング素子をオン、オフ制御する駆動パルスを生成し出力する電源制御回路と、平滑用のコンデンサを備え前記トランスの補助巻線に誘起された電圧を整流・平滑して前記電源制御回路の動作電源電圧を生成する補助電源回路とを有する絶縁型の電源装置の劣化を検知する劣化検知方法であって、
電源起動後に前記電源装置から取得された電圧が所定の電圧を繰り返し越えた場合に、その繰り返し回数を計数する繰り返し回数計数ステップと、
前記繰り返し回数計数ステップにより計数された繰り返し回数が予め設定された所定の回数を越えた場合に電源装置の劣化と判定する劣化判定ステップと、
前記劣化判定ステップの判定結果を出力する判定結果出力ステップと、
を有することを特徴とする電源装置の劣化検知方法。
【発明の詳細な説明】
【技術分野】
【０００１】
本発明は、トランスを備えた絶縁型の直流電源装置特に定電圧電源装置の劣化を検知するのに利用して有効な技術に関するものである。
【背景技術】
【０００２】
近年、鉄道車両には、多種多様な電子機器が搭載されており、これらの電子機器に電力を供給する電源装置として、定電圧電源装置も搭載されている。
電源装置は各種電子機器に電力を安定して供給することが要求される一方、電源装置の劣化状態の把握は困難であり、劣化が進むと電源装置が立ち上がらなくなって、電子機器に電力を供給できない事態が発生するおそれがあるため、電源装置の劣化を検出するための技術の開発が要望されている。
【０００３】
ところで、鉄道車両に搭載されている定電圧電源装置の劣化は、電源装置に設けられている補助電源装置を構成するアルミ電解コンデンサに起因することが多い。そこで、従来、電源装置の劣化の検出として、アルミ電解コンデンサの劣化を検出もしくは判別する発明が提案されている。かかる発明としては、例えば特許文献１や特許文献２に開示されているものがある。
【先行技術文献】
【特許文献】
【０００４】
【特許文献１】特開昭６３−１６５７７０号公報
【特許文献２】特開２００４−３２０８７０号公報
【特許文献３】特開２０１６−２０１９３４号公報
【発明の概要】
【発明が解決しようとする課題】
【０００５】
上記先願発明のうち、特許文献１に開示されている電解コンデンサの劣化検出回路に関する発明は、電解コンデンサのリップル電圧の振幅が次第に増大することに着目して、電解コンデンサのリップル電圧を比較回路でしきい値と比較することで劣化を検出するというものである。
しかしながら、電解コンデンサの寿命は温度、湿度、振動など電気的条件（使用環境）に依存することが知られているが、各電源装置は使用状況がそれぞれ異なるため、特許文献１に開示されている電解コンデンサの劣化検出回路のように、一律に同一のしきい値で判定する方式では、各コンデンサの特性に応じた最適な劣化判定が困難であるという課題がある。
【０００６】
一方、特許文献２に開示されている電解コンデンサの劣化判定装置は、使用周囲温度に対応した累積稼働時間をカウントして、このカウント値により寿命を判定するというものである。
この特許文献２に開示されている発明の判定方式は、電源装置の使用状況に応じた判定が行なえるという利点があるものの、累積稼働時間をカウントする回路や判別回路およびカウント値を記憶する記憶装置が必要であるため、装置を構成する部品点数が多くコストアップを招くとともに、記憶装置に記憶されているカウント値が何らかの原因で失われると、正確な寿命判定が行なえなくなるという課題がある。
【０００７】
本発明者らは、特許文献１や２に開示されている発明の有する上記課題を解決するために、電源装置が立ち上がらなくなるという事態が発生する前に、補助電源回路の平滑用コンデンサの劣化の予兆を捉えて電源装置の劣化を確実に検知するようにした劣化検知装置および劣化検知方法の発明をなし、先に出願した（特許文献３）。
特許文献３の発明は、補助電源回路の平滑用コンデンサが劣化すると電源起動遅れ時間や電源装置が立ち上がるまでの制御回路動作繰返し時間が変化することに着目し、これらの時間を監視することで、電源装置の劣化を検知するようにしたものである。
【０００８】
しかしながら、電源起動遅れ時間および制御回路動作繰返し時間は、使用する電子部品（ＩＣ，コンデンサ，抵抗等）の個体差によるばらつきがある。また、電源装置の起動開始電圧は、制御用ＩＣによってばらつきがある。そのため、特許文献３の発明にあっては、検知精度を高めるには劣化を判別するための判定値（しきい値）を電源装置ごとに変える必要があり、判定値の設定が面倒であるという不具合がある。
本発明は、上記のような背景の下になされたもので、個体差によるばらつきの影響を受けることなく、かつ電源装置が立ち上がらなくなるという事態が発生する前に、補助電源回路の平滑用コンデンサの劣化の予兆を捉えて電源装置の劣化を確実に検知することができる劣化検知装置および劣化検知方法を提供することにある。
【課題を解決するための手段】
【０００９】
上記課題を解決するために、本発明は、
電圧変換用のトランスと、該トランスの一次側巻線に間欠的に電流を流すためのスイッチング素子と、前記トランスの一次側巻線に流れる電流に比例した電圧と前記トランスの二次側からの出力電圧検出信号が入力されることで前記スイッチング素子をオン、オフ制御する駆動パルスを生成し出力する電源制御回路と、平滑用のコンデンサを備え前記トランスの補助巻線に誘起された電圧を整流・平滑して前記電源制御回路の動作電源電圧を生成する補助電源回路とを有する絶縁型の電源装置の劣化を検知する劣化検知装置であって、
前記電源装置の所定部位から取得された電圧が印加されるモニタ端子を備えた端子台と、
前記モニタ端子に印加された電圧が所定の電圧を越えた場合にパルス信号を生成するパルス生成手段と、
前記パルス生成手段により生成されたパルス信号を計数可能なパルス計数手段と、
前記計数手段により計数されたパルス数が所定数に達した場合に前記電源装置の劣化と判定する判定手段と、を備えるようにしたものである。
【００１０】
上記構成の劣化検知装置によれば、電源装置から取得された電圧が所定の電圧を超えた場合に生成されるパルスの数により劣化を判定するため、個体差によるばらつきの影響を受けることなく、かつ電源装置が立ち上がらなくなるという事態が発生する前に、補助電源回路の平滑用コンデンサの劣化の予兆を捉えて電源装置の劣化を検知することができる。また、累積稼働時間を記憶する記憶装置を設けることなく劣化を検知することができるため、記憶装置に記憶されているカウント値が何らかの原因で失われて正確な寿命判定が行なえなくなるという事態が発生するのを回避して電源装置の劣化を確実に検知することができるとともに、劣化検知装置を安価に構成することができる。
【００１１】
ここで、望ましくは、
前記補助電源回路は平滑用のコンデンサを備え、
前記モニタ端子に印加される電圧は、前記補助電源回路の平滑用のコンデンサの充電電圧であるように構成する。
かかる構成によれば、補助電源回路の平滑用コンデンサの充電電圧を監視して所定の電圧を越えた場合に電源装置の劣化と判定するので、監視対象の電圧およびそれを入力するためのモニタ端子の数を少なくすることでき、これにより比較的簡単な回路で検知機能を実現することができ、劣化検知装置の低コスト化を図ることができる。
【００１２】
また、前記トランスの一次側巻線が接続される入力端子と前記平滑用のコンデンサとの間に接続され、電源起動時に前記平滑用のコンデンサを充電させる電流が流れる抵抗素子を備え、前記モニタ端子に印加される電圧は、前記抵抗素子の両端子の電圧であるように構成してもよい。
【００１３】
さらに、望ましくは、前記パルス生成手段は、前記モニタ端子に印加される電圧を分圧する分圧手段と、該分圧手段により分圧された電圧に応じた電圧と所定の電圧とを比較する電圧比較回路と、前記分圧手段と前記電圧比較回路との間に設けられ直流成分を遮断する直流遮断手段と、を備えるように構成する。
かかる構成によれば、分圧された電圧と基準となる電圧とを比較するため、測定電圧レンジの広い回路が不要となり回路をシンプルにすることができるとともに、直流成分を遮断する直流遮断手段（カップリングコンデンサ）を設けているため、劣化検知装置が電圧の高い電源装置から影響を受けるのを防止することができる。
【００１４】
また、本出願の他の発明は、
電圧変換用のトランスと、該トランスの一次側巻線に間欠的に電流を流すためのスイッチング素子と、前記トランスの一次側巻線に流れる電流に比例した電圧と前記トランスの二次側からの出力電圧検出信号が入力されることで前記スイッチング素子をオン、オフ制御する駆動パルスを生成し出力する電源制御回路と、平滑用のコンデンサを備え前記トランスの補助巻線に誘起された電圧を整流・平滑して前記電源制御回路の動作電源電圧を生成する補助電源回路とを有する絶縁型の電源装置の劣化を検知する劣化検知方法であって、
電源起動後に前記電源装置から取得された電圧が所定の電圧を繰り返し越えた場合に、その繰り返し数を計数する繰り返し数計数ステップと、
前記繰り返し数計数ステップにより計数された繰り返し数が予め設定された所定の数を越えた場合に電源装置の劣化と判定する劣化判定ステップと、
前記劣化判定ステップの判定結果を出力する判定結果出力ステップと、
を有するようにしたものである。
【００１５】
上記した方法によれば、電源起動後に電源装置から取得された電圧が所定の電圧を繰り返し越えた場合に、その繰り返し数を計数することにより劣化を判定するため、電源装置が立ち上がらなくなるという事態が発生する前に、補助電源回路の平滑用コンデンサの劣化の予兆を捉えて電源装置の劣化を検知することができる。また、複雑な劣化検知回路を設けたり大規模なプログラムを開発することなく越えたという現象と、電源装置の劣化を検知することができるため、装置もしくはシステムの低コスト化を図ることができる。
【発明の効果】
【００１６】
本発明によれば、個体差によるばらつきの影響を受けることなく、かつ電源装置が立ち上がらなくなるという事態が発生する前に、補助電源回路の平滑用コンデンサの劣化の予兆を捉えて電源装置の劣化を確実に検知することができるという効果を有する。
【図面の簡単な説明】
【００１７】
【図１】本発明に係る直流電源装置の劣化検知装置および劣化検知方法を適用して好適な直流電源装置の一例としての定電圧電源装置の構成例を示す回路構成図である。
【図２】入力電圧投入時の入力電圧と出力電圧と平滑用コンデンサの充電電圧の変化の様子を示すもので、（Ａ）は新しい定電圧電源装置における各電圧の変化、（Ｂ）は長期間稼働した定電圧電源装置における各電圧の変化を示す図である。
【図３】本発明に係る電源装置の劣化検知装置の第１実施例を示すブロック図である。
【図４】本発明に係る電源装置の劣化検知装置の第２実施例を示すブロック図である。
【図５】第２実施例の劣化検知装置を構成するパルス生成回路の具体的な回路例を示す回路構成図である。
【発明を実施するための形態】
【００１８】
以下、本発明に係る電源装置の劣化検知装置および劣化検知方法の実施形態について、図面を参照して説明する。
先ず、図１を用いて、本発明に係る電源装置の劣化検知装置および劣化検知方法を適用して好適な電源装置の一例としての定電圧電源装置の構成について説明する。
図１に示すように、本実施形態の定電圧電源装置は、例えばＤＣ１００Ｖのような入力電圧Ｖｉｎが印加される入力端子ＩＮに接続され入力電圧Ｖｉｎに含まれるノイズを遮断する共通のフィルタ回路１１と、フィルタ回路１１の後段に接続された複数の絶縁型の直流電源装置として２つのＤＣ−ＤＣコンバータ１０Ａ，１０Ｂとを備える。ＤＣ−ＤＣコンバータは、３つ以上設けられていても良い。
【００１９】
本実施形態の定電圧電源装置においては、ＤＣ−ＤＣコンバータ１０Ａ，１０Ｂは同一の構成である。ＤＣ−ＤＣコンバータ１０Ａ，１０Ｂはそれぞれ、図１に示すように、一次側巻線Ｎｐと二次側巻線Ｎｓおよび補助巻線Ｎｂとを有し上記フィルタ回路１１を介して入力される入力電圧Ｖｉｎを異なる電圧に変換する電圧変換用のトランス１２と、このトランス１２の一次側巻線Ｎｐと直列に接続されたＦＥＴ（電界効果トランジスタ）からなるスイッチング素子ＳＷと、該スイッチングＳＷをオン、オフさせる信号ＧＴを生成し出力する電源制御回路１３とを有する。電源制御回路１３は、半導体集積回路（以下、電源制御用ＩＣと称する）として形成されている。
【００２０】
上記トランス１２の二次側には、二次側巻線Ｎｓと直列に接続された整流用ダイオードＤ２と、このダイオードＤ２のカソード端子と二次側巻線Ｎｓの他方の端子との間に接続された平滑用コンデンサＣ２とが設けられ、一次側のスイッチング素子ＳＷをオン、オフさせて一次側巻線Ｎｐに間欠的に電流を流すことで二次側巻線Ｎｓに誘起される交流電圧を整流し平滑することによって、一次側巻線Ｎｐと二次側巻線Ｎｓとの巻線比に応じた直流電圧Ｖout1を出力する。鉄道車両搭載用の電源装置では、出力電圧Ｖout1として５Ｖまたは１２Ｖや２４Ｖのような電圧を出力するように構成される。ＤＣ−ＤＣコンバータ１０Ａが出力電圧Ｖout1として５Ｖを出力し、ＤＣ−ＤＣコンバータ１０Ｂが出力電圧Ｖout2として２４Ｖ（あるいは１２Ｖ）を出力するように構成されても良い。
【００２１】
さらに、本実施形態の定電圧電源装置においては、各ＤＣ−ＤＣコンバータ１０Ａ，１０Ｂのトランス１２の二次側に、出力電圧Ｖout1，Ｖout2……の電圧値を検出するための出力電圧検出回路１４と、該出力電圧検出回路１４に接続され検出電圧に応じた信号を一次側の電源制御用ＩＣ１３へ伝達するフォトカプラの発光側素子としてのフォトダイオード１５ａが設けられている。そして、一次側には、上記電源制御用ＩＣ１３のフィードバック端子ＦＢに接続され、上記出力電圧検出回路１４によって駆動されフィードバック端子ＦＢに信号を伝達するフォトカプラの受光側素子としてのフォトトランジスタ１５ｂが設けられており、電源制御用ＩＣ１３はフォトカプラを介して上記出力電圧検出回路１４からフィードバックされる電圧に基づいて、出力電圧Ｖｏｕｔが一定となるようにスイッチングＳＷをオン、オフさせる信号ＧＴを生成する。
【００２２】
また、この実施形態の定電圧電源装置においては、トランス１２の一次側に、上記補助巻線Ｎｂと直列に接続された整流用ダイオードＤ０と、このダイオードＤ０のカソード端子と接地点ＧＮＤとの間に接続された平滑用コンデンサＣ０とからなる補助電源回路１６が設けられ、該補助電源回路１６で整流、平滑された電圧Ｖsubが上記電源制御用ＩＣ１３の電源電圧端子ＶＣＣに印加されている。
これとともに、入力端子ＩＮと電源制御用ＩＣ１３の電源電圧端子ＶＣＣとの間に、ダイオードＤ１および起動抵抗Ｒ１が直列に接続されており、電源が投入されると入力電圧ＶｉｎからダイオードＤ１および起動抵抗Ｒ１を介して電源電圧端子ＶＣＣに接続されている平滑用コンデンサＣ０に電荷が供給されて充電されることで、補助巻線Ｎｂに電圧が誘起される前の電源起動時においても電源制御用ＩＣ１３を動作させることができるように構成されている。
【００２３】
そして、コンデンサＣ０が充電されると電源制御用ＩＣ１３がスイッチング動作を開始して、トランス１２で変換された電圧が出力される。また、スイッチングが開始されると、補助巻線に電圧が誘起され、以降、補助電源回路１６によって電源制御用ＩＣ１３へ動作電圧が供給される。
上記ダイオードＤ１は補助巻線Ｎｂに誘起された電圧により入力端子ＩＮへ電流が逆流するのを防止する。また、起動抵抗Ｒ１は高抵抗の素子で構成され、補助電源回路１６から電源制御用ＩＣ１３の電源電圧端子ＶＣＣへ電圧が供給され始めると、入力端子ＩＮから電源電圧端子ＶＣＣへ電流が流れないようにする働きをする。
【００２４】
図１の定電圧電源装置においては、上記補助電源回路１６を構成する平滑用コンデンサＣ０としてアルミ電解コンデンサが使用されており、このアルミ電解コンデンサの劣化（寿命）が電源装置の劣化を判定する上で大きな要因となっている。具体的には、定電圧電源装置の繰り返し稼働でアルミ電解コンデンサが劣化すると、次第に容量値が低下し、入力電圧投入後、補助電源の出力電圧が立ち上がるまでの時間が長くなり、最終的には出力電圧が立ち上がらなくなってしまう。従って、そのような事態が発生する前にアルミ電解コンデンサを新しいものと交換する必要があり、本実施形態のように劣化の予兆を捉えて判定するのが有効である。
【００２５】
本実施形態の定電圧電源装置においては、上記補助電源回路１６を構成する平滑用コンデンサＣ０の劣化の予兆を捉えるため、図３に示すような劣化検知装置２０が設けられ、各ＤＣ−ＤＣコンバータ１０Ａ，１０Ｂの補助電源回路１６で生成される電圧Ｖsubが劣化検知装置２０に入力されている。なお、補助電源回路１６の生成電圧Ｖsubの代わりに、起動抵抗Ｒ１の両端子の電圧を取り出して劣化検知装置２０へ入力させるように構成しても良い。
また、図１に示す本実施形態の定電圧電源装置は、入力端子ＩＮにＤＣ１００Ｖのような直流電圧が入力され、直流−直流変換回路として構成されているが、フィルタ回路１１の後段にダイオードブリッジからなる整流回路を接続することで、入力端子ＩＮにＡＣ１００Ｖのような交流電圧が入力されるＡＣ−ＤＣコンバータとして構成することも可能である。その場合、ＤＣ−ＤＣコンバータ１０Ａ，１０Ｂは整流回路の後段に接続される。
【００２６】
次に、本実施形態の定電圧電源装置における劣化検知装置２０による劣化検知の動作原理について説明する。
本発明者らは、本発明を開発するに当たって、定電圧電源装置の繰り返し稼働で、入力電圧投入後出力電圧が立ち上がるまでの現象にどのような変化が生じているのか詳しく調べるために、定電圧電源装置に対して加速度試験を行なうとともに、入力電圧投入直後における入力電圧Ｖｉｎと出力電圧Ｖｏｕｔと平滑用コンデンサ（アルミ電解コンデンサ）Ｃ０の充電電圧（補助電源回路の出力）Ｖsubの変化の様子を観察した。
【００２７】
図２（Ａ）は新しい定電圧電源装置におけるＶｉｎと出力電圧Ｖｏｕｔと補助電源回路の出力電圧（平滑用コンデンサＣ０の充電電圧）Ｖsubの変化の様子を示す波形図、図２（Ｂ）は長期間使用した定電圧電源装置におけるＶｉｎと出力電圧Ｖｏｕｔと補助電源回路の出力電圧Ｖsubの変化の様子を示す波形図である。なお、図２（Ａ），（Ｂ）において、Ｔｄは出力電圧Ｖｏｕｔが所定の電圧Ｖｈ以上に立ち上がるのに要する電源起動遅れ時間である。
図２（Ａ）と図２（Ｂ）とを比較すると分かるように、図２（Ａ）の新しい定電圧電源装置の場合、平滑用コンデンサＣ０が所定の電圧まで充電されて電源制御用ＩＣ１３が動作を開始するとしばらくして出力電圧Ｖｏｕｔが立ち上がり、その後Ｖｏｕｔは一定の電圧に維持される。
【００２８】
一方、図２（Ｂ）の古い定電圧電源装置の場合、平滑用コンデンサＣ０が所定の電圧まで充電されて電源制御用ＩＣ１３が動作を開始しても補助電源回路の出力電圧Ｖsubが低下することで起動に失敗して、これを何度か繰り返した後に出力電圧Ｖｏｕｔが立ち上がり、その後Ｖｏｕｔは一定の電圧に維持されることが明らかとなった。これは、平滑用コンデンサＣ０が劣化すると充電電荷量が減少するため、補助電源回路の出力電圧Ｖsubが比較的短い時間（Ｔｓ）で立ち上がり電源制御用ＩＣ１３が一度動作を開始しても、充電電荷を消費することでコンデンサの電圧が下がり電源制御用ＩＣ１３がスイッチング制御を開始できないためである。図２（Ｂ）の期間Ｔｒは電源制御用ＩＣ１３の起動時動作繰返し時間であり、図２（Ａ）ではこの時間がほぼゼロである。また、平滑用コンデンサＣ０が劣化すると、電源起動遅れ時間Ｔｄが短くなる傾向があることを見出した。
【００２９】
そこで、本発明者らは、電源制御用ＩＣ１３が起動時に起動動作を繰返し期間Ｔｒにおける補助電源回路の出力電圧Ｖsubを監視し、Ｖsubの変動の繰り返し回数を計数することで、平滑用コンデンサＣ０の劣化を検出することとした。なお、入力電圧Ｖｉｎが投入され電圧Ｖsubが上昇する期間Ｔｓにおける平滑用コンデンサＣ０の充電は、起動抵抗Ｒ１を介して流れ込む電流によって行われるとともに、電圧Ｖsubが変動を繰り返す期間Ｔｒにおける平滑用コンデンサＣ０の繰り返し充電も起動抵抗Ｒ１を介して間欠的に流れ込む電流Ｉrによって行われる。そのため、期間Ｔｒにおいては、起動抵抗Ｒ１の端子間電圧（＝Ｉr×Ｒ1）も電圧Ｖsubと同様に変動することとなるので、起動抵抗Ｒ１の端子間電圧の変動回数を計数することによっても、平滑用コンデンサＣ０の劣化を検出することができる。
【００３０】
本発明は、上記の知見に基づいてなされたものである。以下、本発明に係る電源装置の劣化検知装置および劣化検知方法の実施例について説明する。
（第１実施例）
図３には、本発明に係る電源装置の劣化検知装置の第１実施例が示されている。
この実施例の劣化検知装置２０は、検知対象の定電圧電源装置（ＡＶＲ）と接続するためのケーブルの端子が接続されるモニタ端子としてのコネクタ（端子台）２１と、劣化検知のプログラムに従って動作し検知対象の定電圧電源装置からコネクタ２１を介して入力される電圧に基づいて劣化の判定を行うワンチップマイコンのようなデータ処理装置２５と、不揮発性メモリなどからなるデータ記憶媒体２６と、外部のパソコンや表示装置との間でデータの送受信を行う外部インタフェース（Ｉ/Ｆ）２７などを備えている。
【００３１】
上記データ処理装置２５を構成するワンチップマイコンはＲＯＭ（リード・オンリ・メモリ：読出し専用メモリ）を内蔵しており、このＲＯＭに劣化検知のプログラムが格納され、該プログラムに従って動作する。
また、劣化検知装置２０は、上記コネクタ２１を介して検知対象の定電圧電源装置内のＤＣ−ＤＣコンバータ１０Ａ，１０Ｂから取得した入力電圧Ｖｉｎ，出力電圧Ｖout1，Ｖout2を受けて絶縁を確保しつつこれらの電圧の立ち上がりを示す信号に変換してデータ処理装置２５へ入力するフォトカプラ２２、ＤＣ−ＤＣコンバータ１０Ａ，１０Ｂの補助電源回路１６（または起動抵抗Ｒ１）から取得した電圧Ｖsub（またはＶres）をデータ処理装置２５内のＡＤ変換回路の入力可能電圧範囲内の電圧に変換するオペアンプ（増幅器）などからなる信号変換器２３Ａ，２３Ｂを備える。
【００３２】
なお、起動抵抗Ｒ１の端子間電圧Ｖresを検知する場合には、コネクタ（端子台）２１に、検知対象の電圧を入力するためのモニタ端子が各ＤＣ−ＤＣコンバータに対してそれぞれ２個設けられる。
また、劣化検知装置２０は、装置内部の回路や電子デバイスに動作電源電圧を供給するバッテリ２８、電源のオン、オフスイッチ２９を備えている。内蔵バッテリ２８を設ける代わりに外部から電源を供給するようにしてもよい。
【００３３】
本実施例の劣化検知装置２０は、検知対象の定電圧電源装置の各ＤＣ−ＤＣコンバータから取得された補助電源回路の出力電圧Ｖsub（または起動抵抗Ｒ１の端子間電圧Ｖres）が、電源起動後、最初に電源制御用ＩＣ１３の動作開始電圧Ｖｏｎに達してから、起動に失敗して動作開始電圧Ｖｏｎよりも低くなり、再び動作開始電圧Ｖｏｎまで上昇した回数をデータ処理装置２５が計数することができるように構成されている。
具体的には、オン、オフスイッチ２９がオンされると、データ処理装置２５は定電圧電源装置（ＡＶＲ）の入力電圧Ｖｉｎの立ち上がりをトリガとして、プログラムに従って劣化検知処理を開始する。
【００３４】
劣化検知処理においては、ＡＤ変換回路の出力に基づいて補助電源回路１６（または起動抵抗Ｒ１）の電圧波形の波の数をカウントし、所定回数を超えたら劣化と判定する。判定結果情報は、記録媒体２６に記録される。また、図示しないが、データ処理装置２５内には、時計機能（ＴＲＣ）が内蔵されており、判定結果情報と共に劣化と判定した時刻情報が記録媒体２６に記録される。記録媒体２６に記録された情報は、外部インタフェース（Ｉ/Ｆ）２７外部のパソコンにより読み出したり、表示装置へ出力して表示させたりすることができるように構成されている。
【００３５】
劣化検知処理においては、データ処理装置２５は、電源起動遅れ時間Ｔｄの短縮の程度から劣化の傾向を把握しつつ、起動繰返しを１回でも検知したら、すなわち起動時に電圧ＶsubがＶｏｎを続けて２回以上越えたのを検知したら、定電圧電源装置の劣化と判定しても良いし、起動繰返し数が予め設定した所定回数に達したら定電圧電源装置の劣化と判定しても良い。また、ノイズによる誤検知を防止するため、起動繰返しを続けて２回検知したらアラームを出力するように構成しても良い。なお、５回とか１０回のような所定回数以上検知したらアラームを出力することも考えられるが、本発明者らが対象としている定電圧電源装置では、劣化の進み方が装置によって異なっており、起動繰返しの挙動にばらつきがあった。従って、起動繰返しを１回あるいは２回検知したら劣化と判定するように構成するのが望ましい。
【００３６】
（第２実施例）
図４には、本発明に係る電源装置の劣化検知装置の第２実施例が示されている。
この実施例の劣化検知装置２０は、図３に示す劣化検知装置２０における上記信号変換器２３Ａ，２３Ｂの代わりに、コネクタ２１を介して検知対象の定電圧電源装置内のＤＣ−ＤＣコンバータ１０Ａ，１０Ｂから取得した補助電源回路の出力電圧Ｖsub（または起動抵抗Ｒ１の端子間電圧Ｖres）のＤＣ成分を遮断しつつ入力電圧波形からパルス信号を生成してデータ処理装置２５へ入力するパルス生成回路２４Ａ，２４Ｂを設けたものである。データ処理装置２５は入力されたパルス信号を計数する機能を備えるように構成される。
この実施例の劣化検知装置においては、入力されたパルス信号を計数して、パルスを２個もしくは所定個数検知したら、定電圧電源装置の劣化と判定される。
【００３７】
次に、劣化検知装置２０を構成するパルス生成回路２４Ａ，２４Ｂの具体的な回路例を、図５を用いて説明する。
図５に示すパルス生成回路２４Ａ（２４Ｂ）は、補助電源回路の出力電圧Ｖsubが入力されるコネクタ２１上のモニタ端子ＭＴと接地点との間に直列に接続された抵抗Ｒ２，Ｒ３からなる分圧回路４１と、抵抗Ｒ２とＲ３との接続ノードに接続されたＤＣ成分を遮断するためのカップリングコンデンサ４２と、振幅を制限したり信号の急峻な変化を抑制したりするためのダイオードＤ３，Ｄ４および抵抗Ｒ４，Ｒ５と、ボルテージフォロワなどからなるバッファアンプ４３と、電圧比較用のコンパレータ４４と、電源電圧ＶＤＤを抵抗Ｒ６とＲ７で分圧してコンパレータ４４における比較電圧としての参照電圧Ｖrefを生成する分圧回路４５などを備える。
【００３８】
カップリングコンデンサ４２を設けることで、電源装置（ＤＣ−ＤＣコンバータ）の接地電位とパルス生成回路２４の接地電位を分離することができる。また、分圧回路４１を設けているのは、平滑用コンデンサＣ０の電圧は、起動時に起動抵抗Ｒ１から流れ込む電流により５０Ｖを超えるピーク値があり、電圧変動幅が大きいためである。監視する電圧が起動抵抗Ｒ１の端子電圧Ｖresである場合には、バッファアンプ３３の代わりに差動アンプを用いるようにすればよい。
分圧回路４１と４５の分圧比を適宜設定して、参照電圧Ｖrefが電源制御用ＩＣ１３の動作開始電圧Ｖｏｎに対応する電圧になるように構成することで、電圧ＶsubがＶｏｎを越えるとコンパレータ４４の出力がローレベルからハイレベルに反転し、起動の繰り返しが発生するとパルス信号が生成され、データ処理装置２５へ供給されて、パルス数が計数される。
【００３９】
上記の説明から分かるように、第１および第２の実施例の劣化検知装置２０によれば、検知対象の定電圧電源装置（ＡＶＲ）に対して特別な追加や変更をすることなく、補助電源回路の出力電圧Ｖsub（または起動抵抗Ｒ１の端子間電圧Ｖres）を外部からモニタすることで、劣化検知を実現できる。
なお、図３および図４においては、２つのＤＣ−ＤＣコンバータの劣化を検知するものを示したが、コネクタ２１に補助電源回路の出力電圧Ｖsub（または起動抵抗Ｒ１の端子間電圧Ｖres）を入力する３個以上の端子を設けるとともに、各端子に対応してパルス生成回路２４を設けて、３個以上のＤＣ−ＤＣコンバータの劣化を同時に検知することも可能である。
【００４０】
また、上記第１および第２の実施例の劣化検知装置では、バッテリ２８を設けているが、本発明に係る劣化検知装置は、電源装置が立ち上がらなくなる事態が発生する前に、劣化の予兆を捉えて劣化を検出するものであるので、内蔵式の場合、検知対象の電源装置から電源電圧の供給を受けるように構成することで、バッテリ２８を省略することも可能である。この場合、例えば、トランス１２の補助巻線に接続される電解コンデンサを検知装置用に別個設けることによって、トランスの一次側から電源の供給を受けて動作するように構成することができる。
【００４１】
以上、本発明を実施例に基づいて説明したが、本発明は上記実施例に限定されるものではない。例えば上記実施例では、データ処理装置がソフトウェア処理によってパルス数を計数するようにしているが、コンパレータの４４の後段にカウンタ回路を設けて、データ処理装置がカウンタ回路の値を読み込む構成であっても良い。また、図５の回路において、バッファアンプ４３を省略した回路や、コンパレータ４４の代わりにインバータを用いた回路に置き換えることも可能である。
【００４２】
さらに、上記実施例では、補助電源回路を構成する平滑用コンデンサとしてアルミ電解コンデンサを使用している電源装置について説明したが、アルミ電解コンデンサ以外のコンデンサを使用する電源装置に適用するようにしても良い。また、上記実施例では、鉄道車両に搭載される定電圧電源装置に適用した場合について説明したが、アルミ電解コンデンサを使用する電源装置であれば、鉄道車両搭載用以外の一般的な定電圧電源装置やＡＣ−ＤＣコンバータにも適用することができる。
【符号の説明】
【００４３】
１０Ａ，１０Ｂ  ＤＣ−ＤＣコンバータ
１１  フィルタ回路
１２  トランス
１３  電源制御回路（電源制御用ＩＣ）
１４  出力電圧検出回路
１６  補助電源回路
２０  劣化検知装置
２１  コネクタ（端子台）
２３Ａ，２３Ｂ  信号変換器
２４Ａ，２４Ｂ  パルス生成回路
２５  データ処理装置
４１  分圧回路（分圧手段）
４２  カップリングコンデンサ（直流遮断手段）
４４  コンパレータ（電圧比較回路）
【図１】
2018160989.tif 000003
【図２】
2018160989.tif 000004
【図３】
2018160989.tif 000005
【図４】
2018160989.tif 000006
【図５】
2018160989.tif 000007